(57)【要約】  膝前面部（Ａ）、膝後面部（Ｂ）、太腿側前面部（Ｃ）、太腿側後面部（Ｄ）、脛側前面部（Ｅ）、及び脛側後面部（Ｆ）を含む筒型のサポーター本体を備え、筒型のサポーター本体の軸方向に８０％伸長させたときの該軸方向の弾性率が、下記式（１）〜下記式（３）を満たす膝用サポーター。  ０．７≦膝後面部（Ｂ）／膝前面部（Ａ）      …  式（１）  １＜太腿側前面部（Ｃ）／太腿側後面部（Ｄ）  …  式（２）  １＜脛側前面部（Ｅ）／脛側後面部（Ｆ）      …  式（３）
2017135473.tif 000002
【特許請求の範囲】
【請求項１】
脚の膝を含む部分に装着され、前記膝の前面をサポートする膝前面部（Ａ）、前記膝の後面をサポートする膝後面部（Ｂ）、前記脚の前記膝に対して太腿側の前面をサポートする太腿側前面部（Ｃ）、前記太腿側の後面をサポートする太腿側後面部（Ｄ）、前記脚の前記膝に対して脛側の前面をサポートする脛側前面部（Ｅ）、及び前記脛側の後面をサポートする脛側後面部（Ｆ）を含む筒型のサポーター本体を備え、
前記膝前面部（Ａ）、前記膝後面部（Ｂ）、前記太腿側前面部（Ｃ）、前記太腿側後面部（Ｄ）、前記脛側前面部（Ｅ）、及び前記脛側後面部（Ｆ）は、前記筒型のサポーター本体の軸方向に８０％伸長させたときの該軸方向の弾性率が、下記式（１）〜下記式（３）を満たす膝用サポーター。
０．７≦膝後面部（Ｂ）／膝前面部（Ａ）      …  式（１）
１＜太腿側前面部（Ｃ）／太腿側後面部（Ｄ）  …  式（２）
１＜脛側前面部（Ｅ）／脛側後面部（Ｆ）      …  式（３）
【請求項２】
前記膝前面部（Ａ）、前記太腿側前面部（Ｃ）、及び前記脛側前面部（Ｅ）は、前記筒型のサポーター本体の軸方向に８０％伸長させたときの該軸方向の弾性率が、下記式（４Ｘ）及び下記式（５Ｘ）の少なくとも一方を満たす請求項１に記載の膝用サポーター。
１＜膝前面部（Ａ）／太腿側前面部（Ｃ）      …  式（４Ｘ）
１＜膝前面部（Ａ）／脛側前面部（Ｅ）        …  式（５Ｘ）
【請求項３】
前記膝前面部（Ａ）、前記太腿側前面部（Ｃ）、及び前記脛側前面部（Ｅ）は、前記筒型のサポーター本体の軸方向に８０％伸長させたときの該軸方向の弾性率が、前記式（４Ｘ）及び前記式（５Ｘ）の両方を満たす請求項２に記載の膝用サポーター。
【請求項４】
前記膝前面部（Ａ）、前記太腿側前面部（Ｃ）、及び前記脛側前面部（Ｅ）は、前記筒型のサポーター本体の軸方向に８０％伸長させたときの該軸方向の弾性率が、下記式（４Ｘａ）及び下記式（５Ｘａ）の少なくとも一方を満たす請求項１〜請求項３のいずれか１項に記載の膝用サポーター。
１＜膝前面部（Ａ）／太腿側前面部（Ｃ）≦５  …  式（４Ｘａ）
１＜膝前面部（Ａ）／脛側前面部（Ｅ）≦５    …  式（５Ｘａ）
【請求項５】
前記膝前面部（Ａ）、前記太腿側前面部（Ｃ）、及び前記脛側前面部（Ｅ）は、前記筒型のサポーター本体の軸方向に８０％伸長させたときの該軸方向の弾性率が、下記式（４Ｙ）及び下記式（５Ｙ）の少なくとも一方を満たす請求項１に記載の膝用サポーター。
０．２≦膝前面部（Ａ）／太腿側前面部（Ｃ）≦１  …  式（４Ｙ）
０．２≦膝前面部（Ａ）／脛側前面部（Ｅ）≦１    …  式（５Ｙ）
【請求項６】
前記膝前面部（Ａ）、前記太腿側前面部（Ｃ）、及び前記脛側前面部（Ｅ）は、前記筒型のサポーター本体の軸方向に８０％伸長させたときの該軸方向の弾性率が、前記式（４Ｙ）及び前記式（５Ｙ）の両方を満たす請求項５に記載の膝用サポーター。
【請求項７】
前記太腿側前面部（Ｃ）、前記太腿側後面部（Ｄ）、前記脛側前面部（Ｅ）、及び前記脛側後面部（Ｆ）は、前記筒型のサポーター本体の軸方向に８０％伸長させたときの該軸方向の弾性率が、下記式（６）及び下記式（７）の少なくとも一方を満たす請求項１〜請求項６のいずれか１項に記載の膝用サポーター。
１＜脛側前面部（Ｅ）／太腿側後面部（Ｄ）  …  式（６）
１＜太腿側前面部（Ｃ）／脛側後面部（Ｆ）  …  式（７）
【請求項８】
前記膝後面部（Ｂ）、前記太腿側後面部（Ｄ）、及び前記脛側後面部（Ｆ）は、前記筒型のサポーター本体の軸方向に８０％伸長させたときの該軸方向の弾性率が、下記式（８）及び下記式（９）の少なくとも一方を満たす請求項１〜請求項７のいずれか１項に記載の膝用サポーター。
６≦膝後面部（Ｂ）／太腿側後面部（Ｄ）≦５０  …  式（８）
６≦膝後面部（Ｂ）／脛側後面部（Ｆ）≦５０    …  式（９）
【請求項９】
前記太腿側前面部（Ｃ）、前記太腿側後面部（Ｄ）、前記脛側前面部（Ｅ）、及び前記脛側後面部（Ｆ）は、前記筒型のサポーター本体の軸方向に８０％伸長させたときの該軸方向の弾性率が、下記式（２ａ）及び下記式（３ａ）の少なくとも一方を満たす請求項１〜請求項８のいずれか１項に記載の膝用サポーター。
２≦太腿側前面部（Ｃ）／太腿側後面部（Ｄ）≦４０  …  式（２ａ）
２≦脛側前面部（Ｅ）／脛側後面部（Ｆ）≦４０      …  式（３ａ）
【請求項１０】
前記膝前面部（Ａ）及び前記膝後面部（Ｂ）は、前記筒型のサポーター本体の軸方向に８０％伸長させたときの該軸方向の弾性率が、下記式（１ａ）を満たす請求項１〜請求項９のいずれか１項に記載の膝用サポーター。
０．７≦膝後面部（Ｂ）／膝前面部（Ａ）≦３  …  式（１ａ）
【請求項１１】
前記太腿側後面部（Ｄ）及び前記脛側後面部（Ｆ）の各々は、前記筒型のサポーター本体の軸方向に８０％伸長させたときの該軸方向の弾性率が、０．００１ＭＰａ以上であり、
前記膝後面部（Ｂ）は、前記筒型のサポーター本体の軸方向に８０％伸長させたときの該軸方向の弾性率が、１．０ＭＰａ以下である請求項１〜請求項１０のいずれか１項に記載の膝用サポーター。
【請求項１２】
前記膝前面部（Ａ）の編成組織、前記膝後面部（Ｂ）の編成組織、前記太腿側前面部（Ｃ）の編成組織、前記太腿側後面部（Ｄ）の編成組織、前記脛側前面部（Ｅ）の編成組織、及び前記脛側後面部（Ｆ）の編成組織が、いずれも浮き編み組織を含む編成組織である請求項１〜請求項１１のいずれか１項に記載の膝用サポーター。
【請求項１３】
前記膝前面部（Ａ）は、前記筒型のサポーター本体の軸方向に２０Ｎの荷重で伸長させたときの該軸方向の伸長率が、５０％〜５００％である請求項１〜請求項１２のいずれか１項に記載の膝用サポーター。
【請求項１４】
前記太腿側後面部（Ｄ）及び前記脛側後面部（Ｆ）は、いずれも、前記筒型のサポーター本体の軸方向に２０Ｎの荷重で伸長させたときの該軸方向の伸長率が、１５０％〜８５０％である請求項１〜請求項１３のいずれか１項に記載の膝用サポーター。
【請求項１５】
前記筒型のサポーター本体が、丸編みによって連続的に製造されたものである請求項１〜請求項１４のいずれか１項に記載の膝用サポーター。
【請求項１６】
前記筒型のサポーター本体が、シームレス構造を有する請求項１〜請求項１５のいずれか１項に記載の膝用サポーター。
【請求項１７】
更に、
前記筒型のサポーター本体に対して太腿側に配置された太腿側口ゴム部と、
前記筒型のサポーター本体に対して脛側に配置された脛側口ゴム部と、
を備える請求項１〜請求項１６のいずれか１項に記載の膝用サポーター。
【請求項１８】
前記式（１）における膝後面部（Ｂ）／膝前面部（Ａ）が、１超である請求項１〜請求項１７のいずれか１項に記載の膝用サポーター。
【請求項１９】
前記式（１）における膝後面部（Ｂ）／膝前面部（Ａ）が、１．１以上である請求項１〜請求項１８のいずれか１項に記載の膝用サポーター。
【請求項２０】
請求項１〜請求項１９のいずれか１項に記載の膝用サポーターを備える衣類。
【請求項２１】
筒型の関節用サポーター部を備える衣類であって、
前記筒型の関節用サポーター部が、身体の関節部位をサポートする前記筒型の関節用サポーター部の軸方向の中央領域と、
前記中央領域に対して前記軸方向の一端側に位置する一端側領域と、
前記中央領域に対して前記軸方向の他端側に位置する他端側領域と、
を含み、
前記軸方向に８０％伸長させたときの前記軸方向の弾性率を８０％軸方向弾性率とし、前記中央領域の中での８０％軸方向弾性率の最低値を弾性率ＥＣとし、前記一端側領域の中での８０％軸方向弾性率の最低値を弾性率ＥＥ１とし、前記他端側領域の中での８０％軸方向弾性率の最低値を弾性率ＥＥ２とした場合に、前記弾性率ＥＣが、前記弾性率ＥＥ１及び前記弾性率ＥＥ２の少なくとも一方に対して５倍〜５０倍である衣類。
【請求項２２】
前記筒型の関節用サポーター部において、関節を曲げた時の外側を含む半周側を前面部とし、関節を曲げた時の内側を含む半周側を後面部とした場合に、
前記弾性率ＥＥ１を示す領域が前記一端側領域における後面部に位置し、
前記弾性率ＥＥ２を示す領域が前記他端側領域における後面部に位置する請求項２１に記載の衣類。
【請求項２３】
前記弾性率ＥＥ１を示す領域及び前記弾性率ＥＥ２を示す領域は、いずれも凹凸組織領域を含む請求項２１又は請求項２２に記載の衣類。
【請求項２４】
前記凹凸組織領域が、タックの繰り返し編み組織を含む凹凸編地領域である請求項２３に記載の衣類。
【請求項２５】
前記弾性率ＥＥ１及び前記弾性率ＥＥ２が、いずれも０．００１ＭＰａ以上である請求項２１〜請求項２４のいずれか１項に記載の衣類。
【請求項２６】
前記中央領域が、膝関節、肘関節、手首関節、手指関節、又は足指関節に着用される請求項２１〜請求項２５のいずれか１項に記載の衣類。
【請求項２７】
前記中央領域が、膝関節に着用される請求項２１〜請求項２６のいずれか１項に記載の衣類。
【発明の詳細な説明】
【技術分野】
【０００１】
本発明は、膝用サポーター及び衣類に関する。
【背景技術】
【０００２】
現在、種々な膝用サポーターが知られている。
例えば、装着操作が容易で、痛みに応じて適切な箇所を重点的に圧迫、固定、保温等することができ、簡単な製造工程で製作可能な膝サポーターとして、膝蓋骨周囲を被覆する部位に、異なる伸長性を有する複数の領域が編み分け編成されて設けられ、前記部位の少なくとも一部が、該部位以外の領域に比べて低い伸長性を有する低伸長性領域とされた膝サポーターが知られている（例えば、特許文献１参照）。
また、膝の伸展と屈曲を繰り返した場合でも、ずれることなくフィットした状態を保持することができるサポーターとして、主構成部分がストレッチ素材で形成される膝用サポーターであって、サポーター前面上部部材、サポーター前面下部部材及びサポーター後面部部材を含む部材でサポーター本体が構成され、前記サポーター前面上部部材は膝蓋骨領域を含み、前記サポーター前面上部部材の縦方向の伸長率をＡ１、横方向の伸長率をＢ１とし、サポーター後面部部材の縦方向の伸長率をＡ２、横方向の伸長率をＢ２とした場合、Ａ１＞Ｂ１であり、かつＡ２＜Ｂ２である膝用サポーターが知られている（例えば、特許文献２参照）。
また、膝蓋靭帯を圧迫し、かつ、膝蓋骨を保持して、膝関節を良好に固定するコンプレッションサポーターとして、伸縮性素材より成り膝部に着用し得る形態の本体を具備し、上記本体よりも伸縮性の低い低伸縮領域を本体に設け、上記低伸縮領域と本体の伸縮性の相違により膝関節部及び周囲筋腱をサポートするサポーターであって、低伸縮領域として、膝蓋靭帯を圧迫するために、膝蓋骨の下部を取り囲むほぼＵ字型に、本体正面に設けた正面吊り領域を具備し、上記低伸縮領域は、樹脂より成る低伸縮性材料を本体に固着した構成を有しているコンプレッションサポーターが知られている（例えば、特許文献３参照）。
また、膝関節部周辺の皮膚の動きに追従し、ずれにくく、且つ装着性を良好にする膝関節用サポーターとして、本体の膝関節中心から上下１０ｃｍ以内をスリーブ状に形成し、本体の前面部は縦方向に低モジュラスで伸縮性の高い素材で構成し、本体の膝関節中心から１０ｃｍ以上の個所の少なくとも前面上部に切欠きを設け、この切欠きに跨がって本体の周方向の圧迫力を調整可能な部材を設けた膝関節用サポーターが知られている（例えば、特許文献４参照）。
また、適度の着圧性を有し、しかも締めすぎて痛くはなく、また膝の屈伸運動性のよい膝サポーターとして、上下にずり落ち防止用の締付部と膝関節皿部と襷状に囲むＸ字型部とその他の部分の編地部を有する膝関節用サポーターであって、膝関節皿部は着圧がもっとも弱い編地であり、たすき状に囲むＸ字型部は圧迫性編地であり、その他の部分の編地部は膝関節の曲げ伸ばしを容易に行える緩衝編地からなる膝関節用サポーターが知られている（例えば、特許文献５参照）。【０００３】
特許文献１：特開２０１１−１３０７８４号公報
特許文献２：特開２００７−９３６２号公報
特許文献３：特開２０１０−１３７６５号公報
特許文献４：特開２０００−１１６６９７号公報
特許文献５：特開２００７−５４１２６号公報
【発明の概要】
【発明が解決しようとする課題】
【０００４】
膝用サポーターに関し、膝関節に対する固定感を向上させることが望まれている。
しかし本発明者等の検討により、筒型のサポーター本体を備える膝用サポーターにおいて、膝関節に対する固定感を向上させた場合、膝関節の曲げ伸ばし動作をやり難くなる場合があることが判明した。
本明細書中では、膝関節の曲げ伸ばし動作のやり易さを、「膝関節の曲げ伸ばし動作容易性」と称する。【０００５】
本発明の実施形態の目的は、膝関節に対する固定感及び膝関節の曲げ伸ばし動作容易性に優れた膝用サポーターを提供することである。
本発明の別の実施形態の目的は、膝関節に対する固定感及び膝関節の曲げ伸ばし動作容易性に優れた膝用サポーターを備える衣類を提供することである。
本発明の更に別の実施形態の目的は、関節に対する固定感に優れ、着用時におけるずれが抑制される関節用サポーター部を備える衣類を提供することである。
【課題を解決するための手段】
【０００６】
上記課題を解決するための具体的手段には、以下の態様が含まれる。
＜１＞  脚の膝を含む部分に装着され、前記膝の前面をサポートする膝前面部（Ａ）、前記膝の後面をサポートする膝後面部（Ｂ）、前記脚の前記膝に対して太腿側の前面をサポートする太腿側前面部（Ｃ）、前記太腿側の後面をサポートする太腿側後面部（Ｄ）、前記脚の前記膝に対して脛側の前面をサポートする脛側前面部（Ｅ）、及び前記脛側の後面をサポートする脛側後面部（Ｆ）を含む筒型のサポーター本体を備え、
前記膝前面部（Ａ）、前記膝後面部（Ｂ）、前記太腿側前面部（Ｃ）、前記太腿側後面部（Ｄ）、前記脛側前面部（Ｅ）、及び前記脛側後面部（Ｆ）は、前記筒型のサポーター本体の軸方向に８０％伸長させたときの該軸方向の弾性率が、下記式（１）〜下記式（３）を満たす膝用サポーター。
０．７≦膝後面部（Ｂ）／膝前面部（Ａ）      …  式（１）
１＜太腿側前面部（Ｃ）／太腿側後面部（Ｄ）  …  式（２）
１＜脛側前面部（Ｅ）／脛側後面部（Ｆ）      …  式（３）【０００７】
＜２＞  前記膝前面部（Ａ）、前記太腿側前面部（Ｃ）、及び前記脛側前面部（Ｅ）は、前記筒型のサポーター本体の軸方向に８０％伸長させたときの該軸方向の弾性率が、下記式（４Ｘ）及び下記式（５Ｘ）の少なくとも一方を満たす＜１＞に記載の膝用サポーター。
１＜膝前面部（Ａ）／太腿側前面部（Ｃ）      …  式（４Ｘ）
１＜膝前面部（Ａ）／脛側前面部（Ｅ）        …  式（５Ｘ）【０００８】
＜３＞  前記膝前面部（Ａ）、前記太腿側前面部（Ｃ）、及び前記脛側前面部（Ｅ）は、前記筒型のサポーター本体の軸方向に８０％伸長させたときの該軸方向の弾性率が、前記式（４Ｘ）及び前記式（５Ｘ）の両方を満たす＜２＞に記載の膝用サポーター。【０００９】
＜４＞  前記膝前面部（Ａ）、前記太腿側前面部（Ｃ）、及び前記脛側前面部（Ｅ）は、前記筒型のサポーター本体の軸方向に８０％伸長させたときの該軸方向の弾性率が、下記式（４Ｘａ）及び下記式（５Ｘａ）の少なくとも一方を満たす＜１＞〜＜３＞のいずれか１項に記載の膝用サポーター。
１＜膝前面部（Ａ）／太腿側前面部（Ｃ）≦５  …  式（４Ｘａ）
１＜膝前面部（Ａ）／脛側前面部（Ｅ）≦５    …  式（５Ｘａ）【００１０】
＜５＞  前記膝前面部（Ａ）、前記太腿側前面部（Ｃ）、及び前記脛側前面部（Ｅ）は、前記筒型のサポーター本体の軸方向に８０％伸長させたときの該軸方向の弾性率が、下記式（４Ｙ）及び下記式（５Ｙ）の少なくとも一方を満たす＜１＞に記載の膝用サポーター。
０．２≦膝前面部（Ａ）／太腿側前面部（Ｃ）≦１  …  式（４Ｙ）
０．２≦膝前面部（Ａ）／脛側前面部（Ｅ）≦１    …  式（５Ｙ）【００１１】
＜６＞  前記膝前面部（Ａ）、前記太腿側前面部（Ｃ）、及び前記脛側前面部（Ｅ）は、前記筒型のサポーター本体の軸方向に８０％伸長させたときの該軸方向の弾性率が、前記式（４Ｙ）及び前記式（５Ｙ）の両方を満たす＜５＞に記載の膝用サポーター。【００１２】
＜７＞  前記太腿側前面部（Ｃ）、前記太腿側後面部（Ｄ）、前記脛側前面部（Ｅ）、及び前記脛側後面部（Ｆ）は、前記筒型のサポーター本体の軸方向に８０％伸長させたときの該軸方向の弾性率が、下記式（６）及び下記式（７）の少なくとも一方を満たす＜１＞〜＜６＞のいずれか１項に記載の膝用サポーター。
１＜脛側前面部（Ｅ）／太腿側後面部（Ｄ）  …  式（６）
１＜太腿側前面部（Ｃ）／脛側後面部（Ｆ）  …  式（７）【００１３】
＜８＞  前記膝後面部（Ｂ）、前記太腿側後面部（Ｄ）、及び前記脛側後面部（Ｆ）は、前記筒型のサポーター本体の軸方向に８０％伸長させたときの該軸方向の弾性率が、下記式（８）及び下記式（９）の少なくとも一方を満たす＜１＞〜＜７＞のいずれか１項に記載の膝用サポーター。
６≦膝後面部（Ｂ）／太腿側後面部（Ｄ）≦５０  …  式（８）
６≦膝後面部（Ｂ）／脛側後面部（Ｆ）≦５０    …  式（９）【００１４】
＜９＞  前記太腿側前面部（Ｃ）、前記太腿側後面部（Ｄ）、前記脛側前面部（Ｅ）、及び前記脛側後面部（Ｆ）は、前記筒型のサポーター本体の軸方向に８０％伸長させたときの該軸方向の弾性率が、下記式（２ａ）及び下記式（３ａ）の少なくとも一方を満たす＜１＞〜＜８＞のいずれか１項に記載の膝用サポーター。
２≦太腿側前面部（Ｃ）／太腿側後面部（Ｄ）≦４０  …  式（２ａ）
２≦脛側前面部（Ｅ）／脛側後面部（Ｆ）≦４０      …  式（３ａ）【００１５】
＜１０＞  前記膝前面部（Ａ）及び前記膝後面部（Ｂ）は、前記筒型のサポーター本体の軸方向に８０％伸長させたときの該軸方向の弾性率が、下記式（１ａ）を満たす＜１＞〜＜９＞のいずれか１項に記載の膝用サポーター。
０．７≦膝後面部（Ｂ）／膝前面部（Ａ）≦３    …  式（１ａ）【００１６】
＜１１＞  前記太腿側後面部（Ｄ）及び前記脛側後面部（Ｆ）の各々は、前記筒型のサポーター本体の軸方向に８０％伸長させたときの該軸方向の弾性率が、０．００１ＭＰａ以上であり、
前記膝後面部（Ｂ）は、前記筒型のサポーター本体の軸方向に８０％伸長させたときの該軸方向の弾性率が、１．０ＭＰａ以下である＜１＞〜＜１０＞のいずれか１項に記載の膝用サポーター。
＜１２＞  前記膝前面部（Ａ）の編成組織、前記膝後面部（Ｂ）の編成組織、前記太腿側前面部（Ｃ）の編成組織、前記太腿側後面部（Ｄ）の編成組織、前記脛側前面部（Ｅ）の編成組織、及び前記脛側後面部（Ｆ）の編成組織が、いずれも浮き編み組織を含む編成組織である＜１＞〜＜１１＞のいずれか１項に記載の膝用サポーター。
＜１３＞  前記膝前面部（Ａ）は、前記筒型のサポーター本体の軸方向に２０Ｎの荷重で伸長させたときの該軸方向の伸長率が、５０％〜５００％である＜１＞〜＜１２＞のいずれか１項に記載の膝用サポーター。
＜１４＞  前記太腿側後面部（Ｄ）及び前記脛側後面部（Ｆ）は、いずれも、前記筒型のサポーター本体の軸方向に２０Ｎの荷重で伸長させたときの該軸方向の伸長率が、１５０％〜８５０％である＜１＞〜＜１３＞のいずれか１項に記載の膝用サポーター。
＜１５＞  前記筒型のサポーター本体が、丸編みによって連続的に製造されたものである＜１＞〜＜１４＞のいずれか１項に記載の膝用サポーター。
＜１６＞  前記筒型のサポーター本体が、シームレス構造を有する＜１＞〜＜１５＞のいずれか１項に記載の膝用サポーター。
＜１７＞  更に、
前記筒型のサポーター本体に対して太腿側に配置された太腿側口ゴム部と、
前記筒型のサポーター本体に対して脛側に配置された脛側口ゴム部と、
を備える＜１＞〜＜１６＞のいずれか１項に記載の膝用サポーター。
＜１８＞  前記式（１）における膝後面部（Ｂ）／膝前面部（Ａ）が、１超である＜１＞〜＜１７＞のいずれか１項に記載の膝用サポーター。
＜１９＞  前記式（１）における膝後面部（Ｂ）／膝前面部（Ａ）が、１．１以上である＜１＞〜＜１８＞のいずれか１項に記載の膝用サポーター。【００１７】
＜２０＞  ＜１＞〜＜１９＞のいずれか１項に記載の膝用サポーターを備える衣類。【００１８】
＜２１＞  筒型の関節用サポーター部を備える衣類であって、
前記筒型の関節用サポーター部が、身体の関節部位をサポートする前記筒型の関節用サポーター部の軸方向の中央領域と、
前記中央領域に対して前記軸方向の一端側に位置する一端側領域と、
前記中央領域に対して前記軸方向の他端側に位置する他端側領域と、
を含み、
前記軸方向に８０％伸長させたときの前記軸方向の弾性率を８０％軸方向弾性率とし、前記中央領域の中での８０％軸方向弾性率の最低値を弾性率ＥＣとし、前記一端側領域の中での８０％軸方向弾性率の最低値を弾性率ＥＥ１とし、前記他端側領域の中での８０％軸方向弾性率の最低値を弾性率ＥＥ２とした場合に、前記弾性率ＥＣが、前記弾性率ＥＥ１及び前記弾性率ＥＥ２の少なくとも一方に対して５倍〜５０倍である衣類。【００１９】
＜２２＞  前記筒型の関節用サポーター部において、関節を曲げた時の外側を含む半周側を前面部とし、関節を曲げた時の内側を含む半周側を後面部とした場合に、
前記弾性率ＥＥ１を示す領域が前記一端側領域における後面部に位置し、
前記弾性率ＥＥ２を示す領域が前記他端側領域における後面部に位置する＜２１＞に記載の衣類。
＜２３＞  前記弾性率ＥＥ１を示す領域及び前記弾性率ＥＥ２を示す領域は、いずれも凹凸組織領域を含む＜２１＞又は＜２２＞に記載の衣類。
＜２４＞  前記凹凸組織領域が、タックの繰り返し編み組織を含む凹凸編地領域である＜２３＞に記載の衣類。
＜２５＞  前記弾性率ＥＥ１及び前記弾性率ＥＥ２が、いずれも０．００１ＭＰａ以上である＜２１＞〜＜２４＞のいずれか１項に記載の衣類。
＜２６＞  前記中央領域が、膝関節、肘関節、手首関節、手指関節、又は足指関節に着用される＜２１＞〜＜２５＞のいずれか１項に記載の衣類。
＜２７＞  前記中央領域が、膝関節に着用される＜２１＞〜＜２６＞のいずれか１項に記載の衣類。
【発明の効果】
【００２０】
本発明の実施形態によれば、膝関節に対する固定感及び膝関節の曲げ伸ばし動作容易性に優れた膝用サポーターが提供される。
本発明の別の実施形態によれば、膝関節に対する固定感及び膝関節の曲げ伸ばし動作容易性に優れた膝用サポーターを備える衣類が提供される。
本発明の更に別の実施形態によれば、関節に対する固定感に優れ、着用時におけるずれが抑制される関節用サポーター部を備える衣類が提供される。
【図面の簡単な説明】
【００２１】
【図１】本発明の具体例に係る膝用サポーターの概略斜視図である。
【図２】本発明の具体例に係る膝用サポーターの概略前面図である。
【図３】本発明の具体例に係る膝用サポーターの概略後面図である。
【発明を実施するための形態】
【００２２】
以下、本発明の実施形態（以下、「本実施形態」ともいう）について説明する。
本明細書中において、「〜」を用いて表される数値範囲は、「〜」の前後に記載される数値を下限値及び上限値として含む範囲を意味する。
また、本明細書中において、「筒型のサポーター本体の軸方向」は、筒型のサポーター本体の形状を筒形状に維持したときの筒形状の軸方向を指す。本明細書中では、「筒型のサポーター本体の軸方向」を、単に「軸方向」ということがある。本明細書中における「軸方向」は、膝用サポーターの技術分野において「縦方向」と呼ばれることがある方向であり、筒型のサポーター本体に対して脚が挿入される方向ということもできる。
また、本明細書中において、「筒型のサポーター本体の周方向」は、筒型のサポーター本体の形状の筒形状に維持したときの周方向を指す。本明細書中では、「筒型のサポーター本体の周方向」を、単に「周方向」ということがある。本明細書中における「周方向」は、膝用サポーターの技術分野において「横方向」と呼ばれることがある方向である。
また、本明細書中では、脚の膝蓋骨の側を「前面」と称し、脚の膝裏の側を「後面」と称する。
【００２３】
〔膝用サポーター〕
本実施形態の膝用サポーターは、脚の膝を含む部分に装着され、膝の前面をサポートする膝前面部（Ａ）、膝の後面をサポートする膝後面部（Ｂ）、脚の膝に対して太腿側の前面をサポートする太腿側前面部（Ｃ）、太腿側の後面をサポートする太腿側後面部（Ｄ）、脚の膝に対して脛側の前面をサポートする脛側前面部（Ｅ）、及び脛側の後面をサポートする脛側後面部（Ｆ）を含む筒型のサポーター本体を備え、膝前面部（Ａ）、膝後面部（Ｂ）、太腿側前面部（Ｃ）、太腿側後面部（Ｄ）、脛側前面部（Ｅ）、及び脛側後面部（Ｆ）は、筒型のサポーター本体の軸方向に８０％伸長させたときの該軸方向の弾性率（以下、「８０％軸方向弾性率」ともいう）が、下記式（１）〜下記式（３）を満たす膝用サポーターである。
０．７≦膝後面部（Ｂ）／膝前面部（Ａ）      …  式（１）
１＜太腿側前面部（Ｃ）／太腿側後面部（Ｄ）  …  式（２）
１＜脛側前面部（Ｅ）／脛側後面部（Ｆ）      …  式（３）
【００２４】
本実施形態の膝用サポーターは、上記構成を有することにより、膝関節に対する固定感及び膝関節の曲げ伸ばし動作容易性に優れる。
【００２５】
以下、上述した効果（膝関節に対する固定感及び膝関節の曲げ伸ばし動作容易性）に関し、より詳細に説明する。
本発明者等の検討により、膝用サポーターの弾性率と膝用サポーターの脚に対する固定感との間には正の相関があることがわかった。即ち、膝用サポーターの弾性率を高くするほど、脚に対する着圧を高くすることができ（即ち、脚に対する締め付け力を強くすることができ）、その結果、着用者の体感として、脚に対する固定感が向上することがわかった。
更に、本発明者等の検討により、膝後面部（Ｂ）の８０％軸方向弾性率を、膝前面部（Ａ）の８０％軸方向弾性率の０．７倍以上とすること（即ち、式（１）を満たすこと）により、膝関節に対する固定感が効果的に向上することがわかった。
【００２６】
一方、膝用サポーターの弾性率と膝用サポーターの伸びとの間には負の相関がある。
この点に関し、本実施形態の膝用サポーターでは、太腿側後面部（Ｄ）の８０％軸方向弾性率が太腿側前面部（Ｃ）の８０％軸方向弾性率よりも小さく、かつ、脛側後面部（Ｆ）の８０％軸方向弾性率が脛側前面部（Ｅ）の８０％軸方向弾性率よりも小さいことにより（即ち、式（２）及び式（３）を満たすことにより）、膝関節を曲げた時の、太腿側後面部（Ｄ）及び脛側後面部（Ｆ）の伸びが確保されるので、膝関節の曲げ伸ばし動作容易性が向上する。より詳細には、脚の太腿側後面及び脛側後面は、脚の太腿側前面及び脛側前面と比較して体脂肪率が高く、かつ、膝関節を曲げた時に内側に位置する面である。このため、太腿側後面部（Ｄ）及び脛側後面部（Ｆ）には、膝関節の曲げ動作時において伸びが要求される。そこで、本実施形態では、太腿側後面部（Ｄ）及び脛側後面部（Ｆ）の８０％軸方向弾性率を、それぞれ、太腿側前面部（Ｃ）及び脛側前面部（Ｅ）の８０％軸方向弾性率よりも低くすることで、膝の曲げに対する太腿側後面部（Ｄ）及び脛側後面部（Ｆ）の伸びが確保され、その結果、膝関節の曲げ伸ばし動作容易性が向上する。
【００２７】
本明細書中において、膝前面部（Ａ）の８０％軸方向弾性率は、膝前面部（Ａ）の中心位置（即ち、周方向の中心であってかつ軸方向の中心である位置）を測定中心とする、測定幅（即ち、周方向長さ）１５ｍｍの範囲について測定された値を意味する。
膝後面部（Ｂ）、太腿側前面部（Ｃ）、太腿側後面部（Ｄ）、脛側前面部（Ｅ）、及び脛側後面部（Ｆ）の各々の８０％軸方向弾性率についても同様である。
【００２８】
本明細書中において、「８０％軸方向弾性率」は、つかみ幅１５ｍｍ、つかみ間隔１５ｍｍ、及び引張荷重２０Ｎの条件の引張試験によって測定する。ここで、引張荷重の方向は、サポーター本体の軸方向である。
【００２９】
８０％軸方向弾性率を測定するための引張試験は、膝用サポーターの一部を、つかみ幅１５ｍｍ及びつかみ間隔１５ｍｍで引張試験機に固定し、１５ｍｍ／ｍｉｎの引張速度にて引張って伸長させ、８０％伸長した時点での弾性率を読み取って測定値とする。
また、引張試験は、膝用サポーターの一部に対して実施することが困難な場合には、膝用サポーターから３０ｍｍ角の試験片を切り出し、切り出された試験片に対して実施してもよい。
試験回数は５回とし、５回の測定値から、最大値及び最小値を除いた３つの測定値から平均値を求め、この平均値を「８０％軸方向弾性率」として採用する。
引張試験の装置は一般的な引張試験機を用いることができるが、例えば、（株）島津製作所製のオートグラフ「ＡＧＳ−Ｘ  １ｋＮ」を用いることができる。
【００３０】
式（１）における膝後面部（Ｂ）／膝前面部（Ａ）は、式（１）に示すとおり０．７以上である。式（１）における膝後面部（Ｂ）／膝前面部（Ａ）は、膝関節に関する固定感をより向上させる観点から、０．８以上であることが好ましく、１以上であることがより好ましく、１超であることが更に好ましく、１．１以上であることが特に好ましい。
【００３１】
また、本実施形態の膝用サポーターにおいて、膝前面部（Ａ）及び膝後面部（Ｂ）は、筒型のサポーター本体の軸方向に８０％伸長させたときの該軸方向の弾性率が、下記式（１ａ）を満たすことが好ましい。
０．７≦膝後面部（Ｂ）／膝前面部（Ａ）≦３  …  式（１ａ）
【００３２】
式（１ａ）の左辺（０．７≦膝後面部（Ｂ）／膝前面部（Ａ））は、前述の式（１）と同義であり、その効果（膝関節に関する固定感）及び膝後面部（Ｂ）／膝前面部（Ａ）の好ましい下限値も同様である。
また、式（１ａ）の右辺（膝後面部（Ｂ）／膝前面部（Ａ）≦３）を満たすことにより、膝関節に対する固定感がより向上する。
【００３３】
式（１ａ）における膝後面部（Ｂ）／膝前面部（Ａ）は、２以下であることが好ましく、１．５以下であることがより好ましい。
【００３４】
本実施形態の膝用サポーターにおいて、太腿側前面部（Ｃ）、太腿側後面部（Ｄ）、脛側前面部（Ｅ）、及び脛側後面部（Ｆ）は、８０％軸方向弾性率が、下記式（２ａ）及び下記式（３ａ）の少なくとも一方（好ましくは下記式（３ａ）、より好ましくは下記式（２ａ）及び下記式（３ａ）の両方）を満たすことが好ましい。
２≦太腿側前面部（Ｃ）／太腿側後面部（Ｄ）≦４０  …  式（２ａ）
２≦脛側前面部（Ｅ）／脛側後面部（Ｆ）≦４０      …  式（３ａ）
【００３５】
本実施形態の膝用サポーターが、式（２ａ）の左辺（２≦太腿側前面部（Ｃ）／太腿側後面部（Ｄ））及び式（３ａ）の左辺（２≦脛側前面部（Ｅ）／脛側後面部（Ｆ））の少なくとも一方を満たすことにより、膝関節の曲げ伸ばし動作容易性がより向上する。
本実施形態の膝用サポーターが、式（２ａ）の右辺（太腿側前面部（Ｃ）／太腿側後面部（Ｄ）≦４０）及び式（３ａ）の右辺（脛側前面部（Ｅ）／脛側後面部（Ｆ）≦４０）の少なくとも一方を満たすことにより、太腿側後面部（Ｄ）及び脛側後面部（Ｆ）のずれがより抑制される。
【００３６】
式（２ａ）における太腿側前面部（Ｃ）／太腿側後面部（Ｄ）は、３０以下であることが好ましく、２０以下であることがより好ましい。
式（３ａ）における脛側前面部（Ｅ）／脛側後面部（Ｆ）は、３０以下であることが好ましく、２０以下であることがより好ましい。
【００３７】
本実施形態の膝用サポーターの好ましい一態様（以下、「第１態様」ともいう）として、膝前面部（Ａ）、太腿側前面部（Ｃ）、及び脛側前面部（Ｅ）において、筒型のサポーター本体の軸方向に８０％伸長させたときの該軸方向の弾性率が、下記式（４Ｘ）及び下記式（５Ｘ）の少なくとも一方（好ましくは下記式（５Ｘ）、より好ましくは下記式（４Ｘ）及び下記式（５Ｘ）の両方）を満たす態様が挙げられる。
１＜膝前面部（Ａ）／太腿側前面部（Ｃ）      …  式（４Ｘ）
１＜膝前面部（Ａ）／脛側前面部（Ｅ）        …  式（５Ｘ）
【００３８】
第１態様は、膝前面部（Ａ）の８０％軸方向弾性率を、相対的に、太腿側前面部（Ｃ）及び脛側前面部（Ｅ）の少なくとも一方（好ましくは両方）の８０％軸方向弾性率よりも高くする態様である。
第１態様によれば、着用者の体感として、膝関節に対する固定感がより効果的に向上する。即ち、第１態様は、特に、膝関節に対する固定感を重視する場合に好適である。
【００３９】
第１態様の膝用サポーターでは、膝前面部（Ａ）、膝後面部（Ｂ）、太腿側前面部（Ｃ）、及び太腿側後面部（Ｄ）を、８０％軸方向弾性率が高いものから順に並べた場合に、膝前面部（Ａ）及び膝後面部（Ｂ）のいずれか一方、膝前面部（Ａ）及び膝後面部（Ｂ）の他方、太腿側前面部（Ｃ）、太腿側後面部（Ｄ）の順となることが好ましい。
また、第１態様の膝用サポーターにおいて、膝前面部（Ａ）、膝後面部（Ｂ）、脛側前面部（Ｅ）、及び脛側後面部（Ｆ）を、８０％軸方向弾性率が高いものから順に並べた場合に、膝前面部（Ａ）及び膝後面部（Ｂ）のいずれか一方、膝前面部（Ａ）及び膝後面部（Ｂ）の他方、脛側前面部（Ｅ）、脛側後面部（Ｆ）の順となることが好ましい。
【００４０】
第１態様において、膝前面部（Ａ）、太腿側前面部（Ｃ）、及び脛側前面部（Ｅ）は、８０％軸方向弾性率が、下記式（４Ｘａ）及び下記式（５Ｘａ）の少なくとも一方（好ましくは下記式（５Ｘａ）、より好ましくは下記式（４Ｘａ）及び下記式（５Ｘａ）の両方）を満たすことが好ましい。
１＜膝前面部（Ａ）／太腿側前面部（Ｃ）≦５  …  式（４Ｘａ）
１＜膝前面部（Ａ）／脛側前面部（Ｅ）≦５    …  式（５Ｘａ）
【００４１】
第１態様の膝用サポーターが、式（４Ｘａ）の左辺（１＜膝前面部（Ａ）／太腿側前面部（Ｃ））及び式（５Ｘａ）の左辺（１＜膝前面部（Ａ）／脛側前面部（Ｅ））の少なくとも一方を満たすことにより、膝関節に対する固定感が向上する。
第１態様において、膝前面部（Ａ）／太腿側前面部（Ｃ）としては、膝関節に対する固定感をより向上させる観点から、１．５以上が好ましく、２以上がより好ましい。
第１態様において、膝前面部（Ａ）／脛側前面部（Ｅ）としては、膝関節に対する固定感をより向上させる観点から、１．５以上が好ましく、２以上がより好ましい。
第１態様の膝用サポーターが、式（４Ｘａ）の右辺（膝前面部（Ａ）／太腿側前面部（Ｃ）≦５）及び式（５Ｘａ）の右辺（膝前面部（Ａ）／脛側前面部（Ｅ）≦５）の少なくとも一方を満たすことにより、膝に対する過度の締め付け（圧迫）がより抑制される。
【００４２】
本実施形態の膝用サポーターの、第１態様とは別の好ましい一態様（以下、「第２態様」ともいう）として、膝前面部（Ａ）、太腿側前面部（Ｃ）、及び脛側前面部（Ｅ）において、筒型のサポーター本体の軸方向に８０％伸長させたときの該軸方向の弾性率は、下記式（４Ｙ）及び下記式（５Ｙ）の少なくとも一方（好ましくは下記式（５Ｙ）、より好ましくは下記式（４Ｙ）及び下記式（５Ｙ）の両方）を満たす態様も挙げられる。
０．２≦膝前面部（Ａ）／太腿側前面部（Ｃ）≦１  …  式（４Ｙ）
０．２≦膝前面部（Ａ）／脛側前面部（Ｅ）≦１    …  式（５Ｙ）
【００４３】
第２態様は、膝前面部（Ａ）の８０％軸方向弾性率を、相対的に、太腿側前面部（Ｃ）及び脛側前面部（Ｅ）の少なくとも一方（好ましくは両方）の８０％軸方向弾性率以下とする態様である。
第２態様によれば、着用者の体感として、膝関節の曲げ伸ばし動作容易性がより効果的に向上する。即ち、第２態様は、特に、膝関節の曲げ伸ばし動作容易性を重視する場合に好適である。
【００４４】
本実施形態の膝用サポーターの、第１態様及び第２態様とは別の好ましい一態様（以下、「第３態様」ともいう）として、膝前面部（Ａ）、太腿側前面部（Ｃ）、及び脛側前面部（Ｅ）において、筒型のサポーター本体の軸方向に８０％伸長させたときの該軸方向の弾性率が、第１態様における式（４Ｘ）及び第２態様における式（５Ｙ）を満たす態様が挙げられる。
第３態様では、上記軸方向の弾性率が、太腿側前面部（Ｃ）＜膝前面部（Ａ）≦脛側前面部（Ｅ）となる。
第３態様によれば、着用者の体感として、膝関節の曲げ伸ばし動作容易性がより効果的に向上する。即ち、第３態様は、特に、膝関節の曲げ伸ばし動作容易性を重視する場合に好適である。
【００４５】
本実施形態の膝用サポーター（上記第１〜第３態様の膝用サポーターを含む。以下同じ。）において、太腿側前面部（Ｃ）、太腿側後面部（Ｄ）、脛側前面部（Ｅ）、及び脛側後面部（Ｆ）は、８０％軸方向弾性率が、下記式（６）及び下記式（７）の少なくとも一方を満たすことが好ましい。これにより、膝関節の曲げ伸ばし動作容易性がより向上する。
１＜脛側前面部（Ｅ）／太腿側後面部（Ｄ）  …  式（６）
１＜太腿側前面部（Ｃ）／脛側後面部（Ｆ）  …  式（７）
【００４６】
式（６）における脛側前面部（Ｅ）／太腿側後面部（Ｄ）は、４０以下であることが好ましい。
式（７）における太腿側前面部（Ｃ）／脛側後面部（Ｆ）は、４０以下であることが好ましい。
【００４７】
本実施形態の膝用サポーターにおいて、膝後面部（Ｂ）、太腿側後面部（Ｄ）、及び脛側後面部（Ｆ）は、８０％軸方向弾性率が、下記式（８）及び下記式（９）の少なくとも一方（好ましくは下記式（９）、より好ましくは下記式（８）及び下記式（９）の両方）を満たすことが好ましい。
６≦膝後面部（Ｂ）／太腿側後面部（Ｄ）≦５０  …  式（８）
６≦膝後面部（Ｂ）／脛側後面部（Ｆ）≦５０    …  式（９）
【００４８】
本実施形態の膝用サポーターが、式（８）の左辺（６≦膝後面部（Ｂ）／太腿側後面部（Ｄ））及び式（９）の左辺（６≦膝後面部（Ｂ）／脛側後面部（Ｆ））の少なくとも一方を満たすことにより、膝関節に対する固定感がより向上する。
本実施形態の膝用サポーターが、式（８）の右辺（膝後面部（Ｂ）／太腿側後面部（Ｄ）≦５０）及び式（９）の右辺（膝後面部（Ｂ）／脛側後面部（Ｆ）≦５０）の少なくとも一方を満たすことにより、太腿側後面部（Ｄ）及び脛側後面部（Ｆ）の少なくとも一方のずれ（着用時のずれ。以下同じ。）がより抑制される。
【００４９】
式（８）において、膝後面部（Ｂ）／太腿側後面部（Ｄ）は、１０以上であることが好ましい。
式（９）において、膝後面部（Ｂ）／脛側後面部（Ｆ）は、１０以上であることが好ましい。
【００５０】
本実施形態の膝用サポーターにおいて、太腿側後面部（Ｄ）のずれをより抑制する観点から、太腿側後面部（Ｄ）の８０％軸方向弾性率は、０．００１ＭＰａ以上であることが好ましく、０．０１ＭＰａ以上であることがより好ましい。
また、本実施形態の膝用サポーターにおいて、太腿側後面部（Ｄ）の８０％軸方向弾性率は、０．１ＭＰａ以下であることが好ましく、０．０８ＭＰａ以下であることが寄り好ましい。
【００５１】
本実施形態の膝用サポーターにおいて、脛側後面部（Ｆ）のずれをより抑制する観点から、脛側後面部（Ｆ）の８０％軸方向弾性率は、０．００１ＭＰａ以上であることが好ましく、０．０１ＭＰａ以上であることがより好ましい。
また、本実施形態の膝用サポーターにおいて、脛側後面部（Ｆ）の８０％軸方向弾性率は、０．１ＭＰａ以下であることが好ましく、０．０８ＭＰａ以下であることが寄り好ましい。
【００５２】
また、本実施形態の膝用サポーターにおいて、膝に対する過度の締め付け（圧迫）をより抑制し、着用時の快適性をより向上させる観点から、膝後面部（Ｂ）の８０％軸方向弾性率は、１．０ＭＰａ以下であることが好ましく、０．７ＭＰａ以下であることがより好ましい。
また、本実施形態の膝用サポーターにおいて、膝に対する固定感をより向上させる観点から、膝後面部（Ｂ）の８０％軸方向弾性率は、０．０５ＭＰａ以上であることが好ましく、０．３ＭＰａ以上であることがより好ましい。
【００５３】
本実施形態の膝用サポーターにおいて、太腿側前面部（Ｃ）のずれをより抑制する観点から、太腿側前面部（Ｃ）の８０％軸方向弾性率は、０．００１ＭＰａ以上であることが好ましく、０．５ＭＰａ以上であることがより好ましい。
また、本実施形態の膝用サポーターにおいて、太腿側前面部（Ｃ）の８０％軸方向弾性率は、１．９ＭＰａ以下であることが好ましく、１．２ＭＰａ以下であることが寄り好ましい。
【００５４】
本実施形態の膝用サポーターにおいて、脛側前面部（Ｅ）のずれをより抑制する観点から、脛側前面部（Ｅ）の８０％軸方向弾性率は、０．００１ＭＰａ以上であることが好ましく、０．５ＭＰａ以上であることがより好ましい。
また、本実施形態の膝用サポーターにおいて、脛側前面部（Ｅ）の８０％軸方向弾性率は、１．９ＭＰａ以下であることが好ましく、１．２ＭＰａ以下であることが寄り好ましい。
【００５５】
また、本実施形態の膝用サポーターにおいて、膝に対する過度の締め付け（圧迫）をより抑制し、着用時の快適性をより向上させる観点から、膝前面部（Ａ）の８０％軸方向弾性率は、０．８ＭＰａ以下であることが好ましく、０．６ＭＰａ以下であることがより好ましい。
また、本実施形態の膝用サポーターにおいて、膝に対する固定感をより向上させる観点から、膝前面部（Ａ）の８０％軸方向弾性率は、０．１ＭＰａ以上であることが好ましく、０．３ＭＰａ以上であることがより好ましい。
【００５６】
本実施形態の膝用サポーターにおいて、膝前面部（Ａ）の編成組織、膝後面部（Ｂ）の編成組織、太腿側前面部（Ｃ）の編成組織、太腿側後面部（Ｄ）の編成組織、脛側前面部（Ｅ）の編成組織、及び脛側後面部（Ｆ）の各部の編成組織が、いずれも浮き編み組織を含む編成組織であることが好ましい。
上記各部の編成組織が浮き編み組織を含む編成組織である場合には、膝用サポーターの製造時、各部間で浮き糸の密度や分布を変化させることにより各部の軸方向弾性率を容易に調整できる。このため、式（１）〜式（３）を満たす膝用サポーターを製造し易い。
【００５７】
また、本実施形態の膝用サポーターにおいて、太腿側後面部（Ｄ）及び脛側後面部（Ｆ）は、いずれも凹凸組織領域を含むことが好ましい。この態様によれば、特に、前述の式（８）及び式（９）の少なくとも一方を達成し易い。
凹凸組織領域の好ましい形態については、後述の衣類の態様Ｂにおける凹凸組織領域の好ましい形態を参照できる。
【００５８】
膝前面部（Ａ）は、筒型のサポーター本体の軸方向に２０Ｎの荷重で伸長させたときの該軸方向の伸長率（以下、単に「２０Ｎ軸方向伸長率」ともいう）が、５０％〜５００％であることが好ましい。
膝前面部（Ａ）の２０Ｎ軸方向伸長率が５０％以上であると、膝関節の曲げ伸ばし動作容易性がより向上する。
膝前面部（Ａ）の２０Ｎ軸方向伸長率が５００％以下であると、膝関節に対する固定感がより向上する。
【００５９】
膝前面部（Ａ）の２０Ｎ軸方向伸長率は、膝関節に対する固定感をより向上させる観点から、４００％以下が好ましく、３００％以下がより好ましく、２００％以下が特に好ましい。
【００６０】
本明細書中において、膝前面部（Ａ）の２０Ｎ軸方向伸長率は、膝前面部（Ａ）の中心位置（即ち、周方向の中心であってかつ軸方向の中心である位置）を測定中心とする、測定幅（即ち、周方向長さ）１５ｍｍの範囲について測定された値を意味する。
後述する太腿側後面部（Ｄ）の２０Ｎ軸方向伸長率及び脛側サポート部の２０Ｎ軸方向伸長率についても同様である。
【００６１】
本明細書中において、「２０Ｎ軸方向伸長率」は、つかみ幅１５ｍｍ、つかみ間隔１５ｍｍ、及び引張荷重２０Ｎの条件の引張試験によって測定する。ここで、引張荷重の方向は、サポーター本体の軸方向である。
「２０Ｎ軸方向伸長率」は、下記式１により算出される値を指す。
【００６２】
２０Ｎ軸方向伸長率（％）  ＝  （Ｌ２０／Ｌ０）×１００    …  式１
〔式１において、Ｌ０は、初期（即ち非伸長時）のつかみ間隔を指し、具体的には、１５ｍｍである。Ｌ２０は、２０Ｎの引張荷重が印加された状態（即ち伸長時）でのつかみ間隔を指す。〕
【００６３】
２０Ｎ軸方向伸長率を測定するための引張試験は、膝用サポーターの一部を、つかみ幅１５ｍｍ及びつかみ間隔１５ｍｍで引張試験機に固定し、１５ｍｍ／ｍｉｎの引張速度にて行う。
また、引張試験は、膝用サポーターの一部に対して実施することが困難な場合には、膝用サポーターから３０ｍｍ角の試験片を切り出し、切り出された試験片に対して実施してもよい。
試験回数は５回とし、５回の測定値から、最大値及び最小値を除いた３つの測定値から平均値を求め、この平均値を「２０Ｎ軸方向伸長率」として採用する。
引張試験の装置は一般的な引張試験機を用いることができるが、例えば、（株）島津製作所製のオートグラフ「ＡＧＳ−Ｘ  １ｋＮ」を用いることができる。
【００６４】
太腿側後面部（Ｄ）は、２０Ｎ軸方向伸長率が、１５０％〜８５０％であることが好ましい。
太腿側後面部（Ｄ）の２０Ｎ軸方向伸長率が１５０％以上であると、膝関節の曲げ伸ばし動作容易性がより向上する。
太腿側後面部（Ｄ）の２０Ｎ軸方向伸長率が８５０％以下であると、太腿側後面部（Ｄ）のずれがより抑制される。
【００６５】
脛側後面部（Ｆ）は、２０Ｎ軸方向伸長率が、１５０％〜８５０％であることが好ましい。
脛側後面部（Ｆ）の２０Ｎ軸方向伸長率が１５０％以上であると、膝関節の曲げ伸ばし動作容易性がより向上する。
脛側後面部（Ｆ）の２０Ｎ軸方向伸長率が８５０％以下であると、脛側後面部（Ｆ）のずれがより抑制される。
【００６６】
また、太腿側後面部（Ｄ）の軸方向の最大点伸度は、２１０％〜８５０％であることが好ましく、４２０％〜７５０％であることがより好ましい。
太腿側後面部（Ｄ）の軸方向の最大点伸度が２１０％以上であると、膝関節の曲げ伸ばし動作における筋肉の伸び縮みにより追従し易くなり、その結果、膝関節の曲げ伸ばし動作容易性がより向上する。
太腿側後面部（Ｄ）の軸方向の最大点伸度が８５０％以下であると、太腿側後面部（Ｄ）のずれがより抑制される。
【００６７】
また、脛側後面部（Ｆ）の軸方向の最大点伸度は、２１０％〜８５０％であることが好ましく、４２０％〜７５０％であることがより好ましい。
脛側後面部（Ｆ）の軸方向の最大点伸度が２１０％以上であると、膝関節の曲げ伸ばし動作における筋肉の伸び縮みにより追従し易くなり、その結果、膝関節の曲げ伸ばし動作容易性がより向上する。
脛側後面部（Ｆ）の軸方向の最大点伸度が８５０％以下であると、太腿側後面部（Ｄ）のずれがより抑制される。
【００６８】
ここで、最大点伸度を測定するための引張試験は、膝用サポーターの一部を、つかみ幅１５ｍｍ及びつかみ間隔１５ｍｍで引張試験機に固定し、１５ｍｍ／ｍｉｎの引張速度にて行う。
また、引張試験は、膝用サポーターの一部に対して実施することが困難な場合には、膝用サポーターから３０ｍｍ角の試験片を切り出し、切り出された試験片に対して実施してもよい。
試験回数は５回とし、５回の測定値から、最大値及び最小値を除いた３つの測定値から平均値を求め、この平均値を「最大点伸度」として採用する。
引張試験の装置は一般的な引張試験機を用いることができるが、例えば、（株）島津製作所製のオートグラフ「ＡＧＳ−Ｘ  １ｋＮ」を用いることができる。
【００６９】
筒型のサポーター本体は、丸編みによって連続的に製造されたものであることが好ましい。
これにより、筒型のサポーター本体を構成する各部が別個に製造され、次いでこれらを縫い合わせた場合と比較して、縫い目によって形成された突起部による違和感を生じることなく、装着時のフィット感がより向上するという効果が奏される。更に、上記各部が、丸編みによって連続的に製造されたものであると、筒型のサポーター本体の全体の伸長率を確保し易いという効果も奏される。
【００７０】
また、筒型のサポーター本体の構造に着目すると、上述した装着時のフィット感及び伸長率の確保の観点から、筒型のサポーター本体は、シームレス構造を有することが好ましい。ここで、シームレス構造とは、軸方向の縫い目（例えば、縫い合わせにより筒形状を形成するための縫い目）も周方向の縫い目（例えば、各部を縫い合わせるための縫い目）も無い一体型の構造を意味する。
シームレス構造の筒型のサポーター本体は、例えば、筒型のサポーター本体を、丸編みによって連続的に製造することにより形成できる。
【００７１】
本実施形態の膝用サポーターは、更に、筒型のサポーター本体に対して太腿側に配置された太腿側口ゴム部と、筒型のサポーター本体に対して脛側に配置された脛側口ゴム部と、を備えることが好ましい。これにより、膝用サポーターのずれ落ちやめくれがより効果的に抑制される。
本実施形態の膝用サポーターが太腿側口ゴム部及び脛側口ゴム部を備える場合、太腿側口ゴム部及び脛側口ゴム部は、それぞれ、縫い合わせによってサポーター本体と接続されていてもよいし、それぞれ、丸編みによってサポーター本体とともに連続的に製造されていてもよい。
【００７２】
また、少なくとも上記太腿側口ゴム部の裏面（即ち、脚との対向面。以下同じ。）の少なくとも一部には、膝サポーターのずれ落ち抑制の観点から、樹脂層（例えば、シリコーンゴム層、アクリル樹脂層、アクリルウレタン樹脂層等）が設けられていることが好ましい。樹脂層は、例えば印刷によって形成できる。樹脂層は、脛側口ゴム部の裏面に設けられていてもよい。
【００７３】
なお、膝用サポーターは、上記以外のその他の部材を備えていてもよい。
その他の部材としては、例えば膝の脇に対応する位置に設けられ、適度に膝の動きを制御することによって膝を保護する棒状の支持部材（ステー）；サポーター本体を脚に固定するための固定ベルト；等が挙げられる。
特に、太腿側口ゴム部の表面（脚との対向面に対して反対側の面）に固定ベルトを備えることにより、膝サポーターのずれ落ちをより効果的に抑制できる。固定ベルトは、脚に対する締め付け力を調整する部材（例えば面ファスナー）を備えることが好ましい。
【００７４】
本実施形態における膝前面部（Ａ）は、８０％周方向弾性率に対する８０％軸方向弾性率の比率（以下、〔８０％軸方向弾性率／８０％周方向弾性率〕ともいう）が、０．４以上であることが好ましく、０．５以上であることがより好ましく、０．７以上であることが更に好ましく、１以上であることが更に好ましく、１を超えることが更に好ましい。〔８０％軸方向弾性率／８０％周方向弾性率〕が０．５以上であると、膝関節に対する固定感がより向上する。
膝前面部（Ａ）における比率〔８０％軸方向弾性率／８０％周方向弾性率〕としては、膝関節に対する固定感をより向上させる観点から、１．２以上が更に好ましく、１．５以上が更に好ましい。
一方、膝前面部（Ａ）における比率〔８０％軸方向弾性率／８０％周方向弾性率〕としては、膝関節に対するフィット感をより向上させる観点から、５．０以下が好ましく、４．０以下がより好ましく、３．０以下が特に好ましい。
【００７５】
本明細書中、８０％周方向弾性率の測定方法は、試験方向を周方向とすること以外は８０％軸方向弾性率の測定方法と同様である。
【００７６】
本実施形態における膝後面部（Ｂ）は、８０％周方向弾性率に対する８０％軸方向弾性率の比率〔８０％軸方向弾性率／８０％周方向弾性率〕が１を超えることが好ましい。これにより、膝関節に対する固定感がより向上する。
膝後面部（Ｂ）における比率〔８０％軸方向弾性率／８０％周方向弾性率〕としては、膝関節に対する固定感をより向上させる観点から、１．５以上が好ましく、２．０以上がより好ましい。
一方、膝後面部（Ｂ）における比率〔８０％軸方向弾性率／８０％周方向弾性率〕としては、膝関節に対するフィット感をより向上させる観点から、６．０以下が好ましく、５．０以下がより好ましい。
【００７７】
本実施形態における太腿側後面部（Ｄ）は、８０％周方向弾性率に対する８０％軸方向弾性率の比率〔８０％軸方向弾性率／８０％周方向弾性率〕が１未満であることが好ましい。これにより、膝関節の曲げ伸ばし動作容易性がより向上する。
太腿側後面部（Ｄ）における比率〔８０％軸方向弾性率／８０％周方向弾性率〕としては、膝関節の曲げ伸ばし動作容易性をより向上させる観点から、０．８以下が好ましく、０．５以下がより好ましく、０．４以下が特に好ましい。
一方、太腿側後面部（Ｄ）における比率〔８０％軸方向弾性率／８０％周方向弾性率〕としては、製造適性の観点から、０．１以上が好ましい。
【００７８】
本実施形態における脛側後面部（Ｆ）は、８０％周方向弾性率に対する８０％軸方向弾性率の比率〔８０％軸方向弾性率／８０％周方向弾性率〕が１未満であることが好ましい。これにより、膝関節の曲げ伸ばし動作容易性がより向上する。
脛側後面部（Ｆ）における比率〔８０％軸方向弾性率／８０％周方向弾性率〕としては、膝関節の曲げ伸ばし動作容易性をより向上させる観点から、０．８以下が好ましく、０．５以下がより好ましく、０．４以下が特に好ましい。
一方、太腿側裏面サポート部における比率〔８０％軸方向弾性率／８０％周方向弾性率〕としては、製造適性の観点から、０．１以上が好ましい。
【００７９】
次に、図面を参照しながら、本実施形態の具体例について説明するが、本実施形態は、以下の具体例に限定されることはない。
【００８０】
図１は、具体例に係る膝用サポーターの概略斜視図であり、図２は、具体例に係る膝用サポーターの概略前面図であり、図３は、具体例に係る膝用サポーターの概略後面図である。
図１〜図３では、筒型のサポーター本体の軸方向を矢印ＡＸで表し、筒型のサポーターの周方向を矢印Ｃで表している。
また、図１では、前方向を矢印ＦＲで表し、上方向を矢印ＵＰで表している。
本明細書中において、「前方向」とは、膝裏側（即ち、膝窩部側）から膝蓋骨側に向かう方向を指し、「上方向」とは、脛側から太腿側に向かう方向を指す。
【００８１】
図１〜図３に示すように、本具体例に係る膝用サポーター１００は、筒型のサポーター本体１０を備える。
筒型のサポーター本体１０は、
膝の前面をサポートする膝前面部１０Ａ、
膝の後面をサポートする膝後面部１０Ｂ、
膝前面部１０Ａと膝後面部１０Ｂとに接し、膝の側面をサポートする一対の膝側面部１０Ｒ及び１０Ｌ、
脚の膝に対して太腿側の前面をサポートする太腿側前面部１０Ｃ、
太腿側の後面をサポートする太腿側後面部１０Ｄ、
脚の膝に対して脛側の前面をサポートする脛側前面部１０Ｅ、及び
脛側の後面をサポートする脛側後面部１０Ｆから構成されている。
ここで、膝前面部１０Ａ、膝後面部１０Ｂ、太腿側前面部１０Ｃ、太腿側後面部１０Ｄ、脛側前面部１０Ｅ、及び脛側後面部１０Ｆは、それぞれ、膝前面部（Ａ）、膝後面部（Ｂ）、太腿側前面部（Ｃ）、太腿側後面部（Ｄ）、脛側前面部（Ｅ）、及び脛側後面部（Ｆ）の具体例である。
【００８２】
膝用サポーター１００は、更に、筒型のサポーター本体１０に対して太腿側に配置された太腿側口ゴム部１２と、筒型のサポーター本体１０に対して脛側に配置された脛側口ゴム部１４と、を備えている。
【００８３】
本具体例では、上述した各部が一体化し、筒型形状の膝用サポーター１００が構成されている。
更に、本具体例では、膝前面部１０Ａ、膝後面部１０Ｂ、太腿側前面部１０Ｃ、太腿側後面部１０Ｄ、脛側前面部１０Ｅ、及び脛側後面部１０Ｆの各部の８０％軸方向弾性率が、前述の式（１）〜式（３）、式（４Ｘ）、及び式（５Ｘ）を満たす（以上、第１態様）か、前述の式（１）〜式（３）、式（４Ｙ）、及び式（５Ｙ）を満たす（以上、第２態様）か、又は、前述の式（１）〜式（３）、式（４Ｘ）、及び式（５Ｙ）を満たす（以上、第３態様）。
各部の８０％軸方向弾性率のより好ましい態様は、前述のとおりである。
【００８４】
膝用サポーター１００において、各部の境界線は、外見上、必ずしも明確である必要はない。各部の境界線が外見上明確でない場合であっても、各部の境界線は、各部の弾性率の差によって区別することができる。
【００８５】
膝用サポーター１００において、太腿側口ゴム部１２、サポーター本体１０、及び脛側口ゴム部１４は、丸編みによって連続的に製造されており、シームレス構造を有している。これにより、装着時のフィット感に特に優れたものとなっている。
但し、本実施形態はこの一例に限られず、各部を単独の部材として別々に製造しておき、次いで各部を縫い合わせることによってサポーター本体を製造しても構わない。
また、太腿側口ゴム部１２、サポーター本体１０、及び脛側口ゴム部１４を含めた膝用サポーター１００の全体又は一部を、丸編みによって連続的に製造してもよい。即ち、膝用サポーター１００の全体又は一部の構造がシームレス構造となっていてもよい。
【００８６】
また、この具体例における一対の膝側面サポート部１０Ｒ及び１０Ｌの形状は、それぞれ、膝の曲げ伸ばしのし易さの観点から、膝前面部１０Ａとの境界線である円弧と、膝後面部１０Ｂとの境界線である直線（弦）と、によって囲まれた形状となっている。但し、一対の膝側面サポート部１０Ｒ及び１０Ｌの形状はこの形状には限定されない。
また、一対の膝側面サポート部１０Ｒ及び１０Ｌは省略されていてもよい。
【００８７】
膝用サポーター１００の材質としては、ポリエステル、ポリプロピレン、ポリウレタン、ポリオレフィン、ポリオレフィン系エラストマー、ポリアミド、レーヨン、アクリル、キュプラ、アセテート、プロミックス、アラミド、シリコーンなどの化繊；綿、羊毛、絹、麻、レーヨンなどの天然繊維；天然ゴム；ポリ塩化ビニル；等が挙げられる。
中でも、ポリエステル、ポリウレタン、ポリアミド、ポリオレフィン、ポリオレフィン系エラストマー、シリコーン、又は天然ゴムが好ましく、長期耐久性の観点から、ポリエステル、ポリウレタン、ポリアミド、ポリオレフィン、又はポリオレフィン系エラストマーがより好ましい。
【００８８】
膝用サポーター１００の紡糸としては、モノフィラメント；マルチフィラメント；ウレタン又はゴムを被覆したＳＣＹ（Single Covering Yarn）；ウレタン又はゴムを被覆したＤＣＹ（Double Covering Yarn）；等が挙げられる。
【００８９】
膝前面部１０Ａの編成組織、膝後面部１０Ｂの編成組織、一対の膝側面サポート部１０Ｒ及び１０Ｌ、太腿側前面部１０Ｃの編成組織、太腿側後面部１０Ｄの編成組織、脛側前面部１０Ｅの編成組織、及び脛側後面部１０Ｆの編成組織は、前述のとおり、いずれも浮き編み組織を含む編成組織であることが好ましい。
【００９０】
太腿側口ゴム部１２及び脛側口ゴム部１４の編み組織としては、ゴム編み組織又はノンラン編み組織が好ましい。
【００９１】
膝用サポーター１００の編み組織の表面には、樹脂が含浸されていてもよいし、印刷が施されていてもよい。
【００９２】
また、膝用サポーター１００は、編み組織以外のその他の組織を含んでいてもよい。
その他の組織としては、ネオプレンゴムを含む組織、ネオプレンゴム積層体を含む組織等が挙げられる。
【００９３】
膝用サポーター１００の、材質、紡糸、及び編み組織については、例えば、特開２０１１−１３０７８４号公報、特開２００７−９３６２号公報、特開２０１０−１３７６５号公報、特開２０００−１１６６９７号公報、特開２００７−５４１２６号公報等に記載の公知の材質、紡糸、及び編み組織を参照してもよい。
【００９４】
次に、膝用サポーター１００の好ましい大きさを、図２を参照しながら説明する。
なお、本明細書中における軸方向長さは、非伸長時の軸方向長さを意味し、本明細書中における平均周長は、非伸長時の平均周長を意味する。
【００９５】
膝前面部１０Ａ、膝後面部１０Ｂ、並びに、一対の膝側面サポート部１０Ｒ及び１０Ｌからなる筒状部分（但し、一対の膝側面サポート部１０Ｒ及び１０Ｌが省略されている場合には膝前面部１０Ａ及び膝後面部１０Ｂからなる筒状部分）；以下、「膝サポート部」ともいう）の軸方向長さＬ１は、６０ｍｍ〜２００ｍｍが好ましく、８０ｍｍ〜１８０ｍｍがより好ましい。
太腿側前面部１０Ｃ及び太腿側後面部１０Ｄからなる筒状部分（以下、「太腿側サポート部」ともいう）の軸方向長さＬ２は、３０ｍｍ〜２００ｍｍが好ましく、３０ｍｍ〜１５０ｍｍがより好ましい。
脛側前面部１０Ｅ及び脛側後面部１０Ｆからなる筒状部分（以下、「脛側サポート部」ともいう）の軸方向長さＬ３は、３０ｍｍ〜２００ｍｍが好ましく、３０ｍｍ〜１５０ｍｍがより好ましい。
【００９６】
太腿側口ゴム部１２の軸方向長さＬ４は、１０ｍｍ〜１００ｍｍが好ましく、１０ｍｍ〜８０ｍｍがより好ましく、２０ｍｍ〜７０ｍｍが特に好ましい。
脛側口ゴム部１４の軸方向長さＬ５は、１０ｍｍ〜１００ｍｍが好ましく、１０ｍｍ〜８０ｍｍがより好ましく、２０ｍｍ〜７０ｍｍが特に好ましい。
【００９７】
膝用サポーター１００（全体）の軸方向長さは、１４０ｍｍ〜７６０ｍｍが好ましく、１８０ｍｍ〜６２０ｍｍがより好ましい。
【００９８】
本明細書中において、軸方向長さは、下記式で表される値である。
軸方向長さ  ＝  （軸方向の最大長さ＋軸方向の最小長さ）／２
【００９９】
膝サポート部の平均周長は、１００ｍｍ〜３００ｍｍが好ましく、１５０ｍｍ〜２８０ｍｍがより好ましい。
太腿側サポート部の平均周長は、１００ｍｍ〜４００ｍｍが好ましく、１５０ｍｍ〜３５０ｍｍがより好ましい。
脛側サポート部の平均周長は、１００ｍｍ〜３５０ｍｍが好ましく、１００ｍｍ〜３００ｍｍがより好ましい。
太腿側口ゴム部の平均周長は、１８０ｍｍ〜３５０ｍｍが好ましく、１８０ｍｍ〜３２０ｍｍがより好ましく、２００ｍｍ〜３２０ｍｍが特に好ましい。
脛側口ゴム部の平均周長は、１００ｍｍ〜３５０ｍｍが好ましく、１２０ｍｍ〜３００ｍｍがより好ましい。
【０１００】
ここで、平均周長は、下記式で表される値である。
平均周長    ＝  （最大周長＋最小周長）／２
【０１０１】
〔衣類〕
＜態様Ａ＞
本実施形態の一態様である態様Ａに係る衣類は、上述した本実施形態の膝用サポーターを備える衣類である。
態様Ａに係る衣類によれば、本実施形態の膝用サポーターと同様の効果が奏される。
【０１０２】
態様Ａに係る衣類としては、スパッツ、タイツ（例えば、スポーツタイツ、コンプレッションタイツ、医療用タイツ）、ガードル、パンティーストッキング、レギンス、トレンカ、レッグウォーマー等のボトム（例えば、スポーツ用又はインナー用等のボトム）；包帯；等が挙げられる。
【０１０３】
態様Ａに係る衣類では、膝用サポーターと膝用サポーター以外の部分とが、縫合されていてもよいし、接着剤によって接着されていてもよい。
また、態様Ａに係る衣類では、膝用サポーターと膝用サポーター以外の部分とが丸網みによって一体連続的に製造されていてもよい。
【０１０４】
＜態様Ｂ＞
本実施形態の別の一態様である態様Ｂに係る衣類は、
筒型の関節用サポーター部を備える衣類であって、
筒型の関節用サポーター部が、身体の関節部位をサポートする筒型の関節用サポーター部の軸方向の中央領域と、
中央領域に対して軸方向の一端側に位置する一端側領域と、
中央領域に対して軸方向の他端側に位置する他端側領域と、
を含み、
軸方向に８０％伸長させたときの軸方向の弾性率を８０％軸方向弾性率とし、中央領域の中での８０％軸方向弾性率の最低値を弾性率ＥＣとし、一端側領域の中での８０％軸方向弾性率の最低値を弾性率ＥＥ１とし、他端側領域の中での８０％軸方向弾性率の最低値を弾性率ＥＥ２とした場合に、弾性率ＥＣが、弾性率ＥＥ１及び弾性率ＥＥ２の少なくとも一方に対して５倍〜５０倍である衣類である。
【０１０５】
態様Ｂにおける筒型の関節用サポーター部は、上記構成を有することにより、関節に対する固定感に優れ、かつ、着用時におけるずれが抑制される。
詳細には、弾性率ＥＣが、弾性率ＥＥ１及び弾性率ＥＥ２の少なくとも一方に対して５倍以上であることにより、関節部位に対する固定感が向上する。
また、弾性率ＥＣが、弾性率ＥＥ１及び弾性率ＥＥ２の少なくとも一方に対して５０倍以下であることにより、着用時におけるずれ（詳細には、一端側領域及び他端側領域のずれ）が抑制される。
【０１０６】
また、弾性率ＥＣが、弾性率ＥＥ１及び弾性率ＥＥ２の少なくとも一方に対して５０倍以下であることにより、関節の曲げ伸ばし動作容易性が向上するという効果も奏される。
また、弾性率ＥＣが、弾性率ＥＥ１及び弾性率ＥＥ２の少なくとも一方に対して５０倍以下であることにより、関節に対する過度の締め付け（圧迫）がより抑制され、着用時の快適性がより向上するという効果も奏される。
【０１０７】
上述した効果がより効果的に得る観点から、弾性率ＥＣは、弾性率ＥＥ１及び弾性率ＥＥ２の少なくとも一方に対して５倍〜４０倍であることが好ましい。
【０１０８】
態様Ｂにおける筒型の関節用サポーター部において、関節を曲げた時の外側を含む半周側を前面部とし、関節を曲げた時の内側を含む半周側を後面部とした場合に、
弾性率ＥＥ１を示す領域が一端側領域における後面部に位置し、
弾性率ＥＥ２を示す領域が他端側領域における後面部に位置することが好ましい。
この態様によれば、着用時の快適性及び関節の曲げ伸ばし動作容易性がより向上する。
【０１０９】
弾性率ＥＥ１及び弾性率ＥＥ２は、それぞれ、着用時のずれをより抑制する観点から、０．００１ＭＰａ以上であることが好ましく、０．０１ＭＰａ以上であることがより好ましい。
弾性率ＥＥ１及び弾性率ＥＥ２は、それぞれ、０．１ＭＰａ以下であることが好ましく、０．０８ＭＰａ以下であることがより好ましい。
【０１１０】
その他、態様Ｂにおける筒型の関節用サポーター部には、本実施形態の膝用サポーターの好ましい態様を適用してもよい。
【０１１１】
態様Ｂに係る衣類は、関節用サポーター部のみからなる衣類（即ち、サポーター）であってもよいし、衣類の一部分として関節用サポーター部を備える衣類であってもよい。
ここで、衣類の一部分として関節用サポーター部を備える衣類としては、スパッツ、タイツ（例えば、スポーツタイツ、コンプレッションタイツ、医療用タイツ）、ガードル、パンティーストッキング、レギンス、トレンカ、レッグウォーマー等のボトム（例えば、スポーツ用又はインナー用等のボトム）；肌着、シャツ、コンプレッションシャツ等のトップ；ソックス；手袋；指サック；包帯；等が挙げられる。
【０１１２】
態様Ｂに係る衣類において、関節用サポーター部と関節用サポーター部以外の部分とが、縫合されていてもよいし、接着剤によって接着されていてもよい。
また、態様Ｂに係る衣類において、関節用サポーター部と関節用サポーター部以外の部分とが丸網みによって一体連続的に製造されていてもよい。
【０１１３】
関節部位における関節としては、膝関節、肘関節、手首関節、手指関節、足指関節、距腿関節、距骨下関節、首関節、肩関節、股関節、等が挙げられる。
【０１１４】
関節用サポーター部の中央領域が着用される関節としては、疼痛緩和の観点からは、膝関節、肘関節、手首関節、手指関節、又は足指関節が好ましく、膝関節がより好ましい。膝関節、肘関節、手首関節、手指関節、又は足指関節は、３つ以上の骨から構成されるという共通点を有する。
着圧付与領域によって着圧を付与することより関節部位を圧迫すると、関節における骨の配置が適正化され、関節の周囲に位置する関節部位以外の部位を動きやすく制御することができる。これにより、疼痛緩和の効果を生じる。
膝関節、肘関節、手首関節、手指関節、又は足指関節は、他の関節に較べてより広い可動範囲を有する関節である。これら膝関節、肘関節、手首関節、手指関節、又は足指関節は、筋肉の衰えにより骨の配置が崩れやすいので、これらの関節にサポーターを着用し、サポート感を付与することが特に有用である。
特に、膝関節は、歩行時に人体の体重を支えるため、大きな負荷がかかりやすく、骨の配置が崩れやすい。このため、態様Ｂの効果は、関節用サポーター部の中央領域を膝関節に着用した場合において、特に効果的に奏される。
【０１１５】
態様Ｂにおいて、弾性率ＥＣが弾性率ＥＥ１及び弾性率ＥＥ２の少なくとも一方に対して５倍〜５０倍となるように調整する手段としては、
筒型の関節用サポーター部の一部分を、凹凸組織領域、織物組織、又は樹脂シート（例えば、フィルムなど）によって形成する手段；
筒型の関節用サポーター部の一部分を、伸長率の高い糸を使用した編地によって形成する手段；
等が挙げられる。
【０１１６】
弾性率ＥＥ１を示す領域及び弾性率ＥＥ２を示す領域は、いずれも凹凸組織領域（好ましくは後述の凹凸編地組織）を含むことが好ましい。これにより、弾性率ＥＣが弾性率ＥＥ１及び弾性率ＥＥ２の少なくとも一方に対して５倍〜５０倍となる関係をより達成し易い。
【０１１７】
また、弾性率ＥＥ１を示す領域及び弾性率ＥＥ２を示す領域は、いずれも凹凸組織領域（好ましくは後述の凹凸編地組織）を含むことにより、弾性率ＥＥ１を示す領域及び弾性率ＥＥ２を示す領域の各々において、軸方向の最大点伸度が２１０％〜８５０％（好ましくは４２０％〜７５０％）であることを達成し易い。
弾性率ＥＥ１を示す領域及び弾性率ＥＥ２を示す領域の各々の軸方向の最大点伸度が２１０％以上であると、関節の曲げ伸ばし動作における筋肉の伸び縮みにより追従し易くなり、その結果、関節の曲げ伸ばし動作容易性がより向上する。
弾性率ＥＥ１を示す領域及び弾性率ＥＥ２を示す領域の各々の軸方向の最大点伸度が５０％以下であると、着用時のずれがより抑制される。
【０１１８】
ここで、凹凸組織領域とは、凹凸形状を有する組織である凹凸組織を含む領域である。
凹凸組織領域に含まれる凹凸組織としては、編物組織（以下、「編物」ともいう）、織物組織（以下、「織物」ともいう）、樹脂シート（例えば、フィルムなど）などが挙げられる。これらの中でも、凹凸組織としては、編物や織物を用いることが好ましく、編物を用いることがより好ましい。また、凹凸組織領域には、単一の凹凸組織を用いてもよく、複数の凹凸組織を組合せて用いてもよい。
これらの中でも、凹凸組織を含む凹凸組織領域としては、着用時の違和感低減、通気性向上、及び動作追従性向上の観点から、凹凸編地を含む凹凸編地領域、凹凸織物を含む凹凸織物領域、又は、凹凸編地と凹凸織物とを含む凹凸組織領域が好ましく、凹凸編地を含む凹凸編地領域がより好ましい。
【０１１９】
凹凸編地領域とは、凹凸形状を有する編み組織である凹凸編地を含む領域である。
凹凸編地領域に含まれる凹凸編地としては、単一の凹凸編地であってもよく、２種以上の凹凸編地であってもよい。
凹凸編地領域の面積としては、着用時の伸張した状態での凹凸編地領域の面積が、４ｃｍ２以上であることが好ましく、６ｃｍ２以上であることがより好ましい。
また、凹凸編地領域の周方向長さは、関節用サポーター部の全周長さ（詳しくは、凹凸編地領域を横切る全周の長さ）の１／６以上の長さであることが好ましく、１／３以上の長さであることがより好ましい。
ここで、凹凸編地領域の周方向長さとは、凹凸編地領域が周方向に分割して配置される場合には、周方向に重複なく寄せ集めた場合の総周方向長さをいう。
凹凸編地領域は、一端側領域及び／又は他端側領域中に複数配置されていてもよい。一端側領域及び／又は他端側領域中に複数の凹凸編地領域を配置する場合、その配置は特に限定されない。
凹凸編地領域の形状及び隣接する領域との境界ラインの形状は、特に限定されない。これらは、デザイン性の観点から、適宜設計できる。
【０１２０】
態様Ｂにおいて、関節用サポーター部は、中央領域及び凹凸組織領域（例えば、凹凸編地領域）を含む。関節用サポーター部は、中央領域及び凹凸組織領域以外の領域（その他の領域）を含んでいてもよい。
中央領域及び凹凸組織領域に加えてその他の領域を含む場合、その他の領域は、織物、樹脂シート、中央領域及び凹凸組織領域とは異なる編み組織、等によって構成することができる。中でも、肌ストレス軽減の観点からは、編み組織又は織物が好ましく、弾性糸を用いた編み組織がより好ましい。ただし、その他の領域の組織は、弾性率ＥＣが弾性率ＥＥ１及び弾性率ＥＥ２の少なくとも一方に対して５倍〜５０倍となるように適宜選定する。
【０１２１】
凹凸編地領域は、タックの繰り返し編み組織を含むことが好ましい。
ここで、タックの繰り返し編みとは、タック編みを繰り返して編成する編成方法を意味する。
凹凸編地領域が、タックの繰り返し編み組織を含む場合には、伸縮性を調整することがより容易となる。
【０１２２】
また、凹凸編地領域における凹凸編地は、フロート編み組織を含むことも好ましい。
凹凸編地におけるフロート編み組織は、フロート編み組織以外の編み組織より伸び縮みし易い。フロート編み組織を含む凹凸編地が柔らかい理由は、着用時に凹凸編地領域が伸びた場合においても凹凸編地におけるフロート編み組織に伸びしろ（即ち、凹凸）が残るためと考えられる。この伸びしろが肌に触れた時に、柔らかい感触を与える。また、凹凸編地の製造し易さの観点からもフロート編み組織を配することにより凹凸編地を形成することが好ましい。
また、凹凸編地領域における凹凸編地は、弾性糸によって編成されることが好ましく、上記凹凸編地は、弾性糸を用いたフロート編み組織を含む凹凸編地であることがより好ましい。弾性糸を用いることで凹凸編地をより柔らかくすることができる。
弾性糸としては、ポリウレタン、ポリオレフィン系エラストマー、天然ゴム、シリコーンなどが挙げられる。この中でも、より弾性に優れる観点から、ポリウレタン、ポリオレフィン系エラストマー、天然ゴムが好ましい。
関節用サポーター部を丸編みによって一体的に製造する際の製造適性にも優れる観点からは、軸方向にフロート編み組織を配することが好ましい。
【０１２３】
また、凹凸編地領域は、長尺形状の凹部を有することが好ましい。
ここでいう長尺形状は、言うまでも無く、平面視における凹部の形状である。
凹凸編地領域のうち、特に凹部の底部分は、伸びやすい性質を有する。このため、長尺形状の凹部を有する凹凸編地領域は、この凹部の幅方向に伸びやすい性質を有する。従って、凹凸編地領域が長尺形状の凹部を有することにより、凹凸編地領域全体が伸び易くなるので、動作追従性がより向上する。
凹凸編地領域は、長尺形状の凹部を複数有することが好ましい。
【０１２４】
凹凸編地領域は、長尺形状の凹部を複数有し、これら複数の凹部の各々は、長さ方向が、筒型の関節用サポーター部の周方向に対して略平行であることが好ましい。
この場合、長尺形状の凹部の幅方向が関節用サポーター部の軸方向に対応する。このため、凹凸編地領域が関節用サポーター部の軸方向に伸び易くなるので、動作追従性がより向上する。
また、凹凸編地領域が、上記長さ方向を有する長尺形状の凹部を複数有することは、関節用サポーター部を丸編みによって製造する際の製造適性にも優れる点でも有利である。詳細には、関節用サポーター部を丸編みによって製造する際、フロート編みによって周方向の編目を１目以上飛ばして編むことにより、上記長尺形状の凹部（即ち、その長さ方向が、関節用サポーター部の周方向に対して略平行である長尺形状の凹部）を容易に製造できる。
【実施例】
【０１２５】
以下、本発明を実施例により具体的に説明するが、本発明はこれらの実施例に限定されるものではない。【０１２６】
〔実施例１〕
上述した膝用サポーター１００と同様の構成を有するサポーターＸを作製した。
サポーターＸは、太腿側口ゴム部、筒型のサポーター本体、及び脛側口ゴム部を、丸編みによって連続的に編成することにより製造した。
筒型のサポーター本体は、編成組織を浮き編み組織を含む編成組織とした。この際、筒型のサポーター本体を構成する各部（膝前面部（Ａ）、膝後面部（Ｂ）、一対の膝側面サポート部、太腿側前面部（Ｃ）、太腿側後面部（Ｄ）、脛側前面部（Ｅ）、及び脛側後面部（Ｆ））間で、浮き糸の密度及び分布を変化させることにより、各部の軸方向弾性率が式（１）〜式（３）、式（４Ｘ）、及び式（５Ｘ）を満たすようにした。
また、太腿側口ゴム部及び脛側口ゴム部の編成組織は、いずれもノンラン編み組織とした。
サポーターＸの材質は、ナイロン及びポリウレタンである。【０１２７】
サポーターＸの非伸長時のサイズは以下のとおりである。
・膝サポート部    …  軸方向長さ１３０ｍｍ、平均周長２２０ｍｍ
・太腿側サポート部  …  軸方向長さ５０ｍｍ、平均周長２０８ｍｍ
・脛側サポート部    …  軸方向長さ４５ｍｍ、平均周長１９５ｍｍ
・太腿側口ゴム部    …  軸方向長さ３０ｍｍ、平均周長２８０ｍｍ
・脛側口ゴム部      …  軸方向長さ２０ｍｍ、平均周長２４０ｍｍ【０１２８】
上記サポーターＸの各部について、８０％軸方向弾性率、８０％周方向弾性率、２０Ｎ軸方向伸長率、及び２０Ｎ周方向伸長率の測定を行った。
８０％軸方向弾性率、８０％周方向弾性率、及び２０Ｎ軸方向伸長率の測定方法は前述したとおりである。
２０Ｎ周方向伸長率の測定方法は、測定方向を周方向とすること以外は、２０Ｎ軸方向伸長率の測定方法と同様である。
結果を下記表１に示す。【０１２９】
【表１】
2017135473.tif 000003
【０１３０】
−表１並びに後述の表３及び表４の説明−
軸方向欄の８０％弾性率は、８０％軸方向弾性率を示し、周方向欄の８０％弾性率は、８０％周方向弾性率を示す。
軸方向欄の２０Ｎ伸長率は、２０Ｎ軸方向伸長率を示し、周方向欄の２０Ｎ伸長率は、２０Ｎ周方向伸長率を示す。【０１３１】
表１に示すように、本発明の膝用サポーターの具体例であるサポーターＸは、式（１）〜式（３）を満たしていた。従って、サポーターＸは、膝関節に対する固定感及び膝関節の曲げ伸ばし動作容易性に優れることが期待される。
更に、サポーターＸは、式（４Ｘ）、式（５Ｘ）、式（６）〜式（９）、式（１ａ）
〜式（３ａ）、式（４Ｘａ）、及び式（５Ｘａ）を満たしていることがわかる。従って、サポーターＸは、膝関節に対する固定感及び膝関節の曲げ伸ばし動作容易性に特に優れ、更には、快適性（詳細には、フィット感向上、ずれ抑制、及び圧迫抑制）に優れることが期待される。【０１３２】
次に、実際に、成人男性４名及び成人女性１名の計５名の被験者にサポーターＸを２日間着用させ、各被験者に対し、着用感に関するヒヤリングを行った。
その結果、いずれの被験者からも、サポーターＸは、膝関節に対する固定感及び膝関節の曲げ伸ばし動作容易性に特に優れ、更には、快適性（詳細には、フィット感向上、ずれ抑制、及び圧迫抑制）にも優れる、との感想が得られた。【０１３３】
〔実施例２〜６〕
上述した膝用サポーター１００と同様の構成を有し、非身長時のサイズが下記表２に示すとおりである各サポーターを作製した。
各サポーターは、太腿側口ゴム部、筒型のサポーター本体、及び脛側口ゴム部を、丸編みによって連続的に編成することにより製造した。
筒型のサポーター本体は、編成組織を浮き編み組織を含む編成組織とした。
この際、実施例２〜４においては、筒型のサポーター本体を構成する各部（膝前面部（Ａ）、膝後面部（Ｂ）、一対の膝側面サポート部、太腿側前面部（Ｃ）、太腿側後面部（Ｄ）、脛側前面部（Ｅ）、及び脛側後面部（Ｆ））間で、浮き糸の密度及び分布を変化させることにより、各部の軸方向弾性率が、式（１）〜式（３）、式（４Ｘ）、及び式（５Ｘ）を満たすようにし、実施例５及び６においては、各部の軸方向弾性率が、式（１）〜式（３）、式（４Ｙ）、及び式（５Ｙ）を満たすようにした。
また、太腿側口ゴム部及び脛側口ゴム部の編成組織は、いずれもノンラン編み組織とした。
各サポーターの材質は、いずれも、ナイロン及びポリウレタンである。【０１３４】
【表２】
2017135473.tif 000004
【０１３５】
各サポーターの各部について、実施例１と同様にして、８０％軸方向弾性率、８０％周方向弾性率、２０Ｎ軸方向伸長率、及び２０Ｎ周方向伸長率の測定を行った。
結果を下記表３及び表４に示す。【０１３６】
【表３】
2017135473.tif 000005
【０１３７】
【表４】
2017135473.tif 000006
【０１３８】
表３及び表４に示すように、実施例２〜６のサポーターは、式（１）〜式（３）を満たしていた。従って、これらのサポーターは、膝関節に対する固定感及び膝関節の曲げ伸ばし動作容易性に優れることが期待される。【０１３９】
また、表３に示すように、実施例２〜４のサポーターは、式（４Ｘ）、式（５Ｘ）、式（６）〜式（９）、式（１ａ）〜式（３ａ）、式（４Ｘａ）、及び式（５Ｘａ）を満たしていることがわかる。従って、実施例２〜４のサポーターは、膝関節に対する固定感及び膝関節の曲げ伸ばし動作容易性（特に、膝関節に対する固定感）に優れ、更には、快適性に優れることが期待される。【０１４０】
また、表４に示すように、実施例５及び６のサポーターは、式（４Ｙ）、式（５Ｙ）、式（６）〜式（９）、及び式（１ａ）〜式（３ａ）を満たしていることがわかる。従って、実施例２〜４のサポーターは、膝関節に対する固定感及び膝関節の曲げ伸ばし動作容易性（特に、膝関節の曲げ伸ばし動作容易性）に優れ、更には、快適性に優れることが期待される。【０１４１】
次に、実施例１及び４〜６のサポーターについて、太腿側後面部（Ｄ）及び脛側後面部（Ｆ）の軸方向の最大点伸度を測定した。
その結果、
実施例１のサポーターの太腿側後面部（Ｄ）の軸方向の最大点伸度は６４４％であり、実施例１のサポーターの脛側後面部（Ｆ）の軸方向の最大点伸度は６４４％であり、
実施例４のサポーターの太腿側後面部（Ｄ）の軸方向の最大点伸度は７２４％であり、実施例４のサポーターの脛側後面部（Ｆ）の軸方向の最大点伸度は７２４％であり、
実施例５のサポーターの太腿側後面部（Ｄ）の軸方向の最大点伸度は４３８％であり、実施例５のサポーターの脛側後面部（Ｆ）の軸方向の最大点伸度は４３８％であり、
実施例６のサポーターの太腿側後面部（Ｄ）の軸方向の最大点伸度は４７５％であり、実施例６のサポーターの脛側後面部（Ｆ）の軸方向の最大点伸度は４７５％であった。【０１４２】
次に、実際に、成人男性４名及び成人女性１名の計５名の被験者に、実施例２〜５の各サポーターを２日間着用させ、各被験者に対し、各サポーターの着用感に関するヒヤリングを行った。
その結果、いずれの被験者からも、各サポーターは、膝関節に対する固定感及び膝関節の曲げ伸ばし動作容易性に特に優れ、更には、快適性にも優れる、との感想が得られた。【０１４３】
日本国特許出願２０１６−０２０１４４及び日本国特許出願２０１６−２３６０６９の開示はその全体が参照により本明細書に取り込まれる。
本明細書に記載された全ての文献、特許出願、及び技術規格は、個々の文献、特許出願、及び技術規格が参照により取り込まれることが具体的かつ個々に記された場合と同程度に、本明細書中に参照により取り込まれる。
【図１】
2017135473.tif 000007
【図２】
2017135473.tif 000008
【図３】
2017135473.tif 000009
【国際調査報告】
2017135473.tif 000010
2017135473.tif 000011
2017135473.tif 000012
2017135473.tif 000013